(57)【要約】【課題】  強風時等においても転倒の恐れがない簡易構造のネット巻上式フェンスを提供する。【解決手段】  枠体９内に張架されて配置されるネット１にはロープ３が連結され、このロープ３は枠体９の柱７の頂部に固定される滑車２を介して地表面４側に垂下されている。強風時等にはこのロープ３によりネット１を地表面４側に下げて畳み込みネット１に風力等が作用することをなくす。  一方、使用時にはロープ３を持ち上げることによりネット１は上昇し、通常の使用状態になる。【選択図】  図１
0003120984.tif 000002
【実用新案登録請求の範囲】
【請求項１】
左右の柱とこの頂部に架設される梁とからなる枠体内の空間にネットを張架してなるネットフェンスであって、該ネットフェンスは、前記柱の頂部に滑車を固定し、該滑車に巻回するロープの一端を前記ネットの左右端に連結すると共に前記ロープの他端を前記滑車から地表面側に向かって垂下すべく配設することを特徴とするネット巻上式フェンス。
【請求項２】
前記柱の前記ネット側には前記ネットの左右端をガイドする溝レールが設けられることを特徴とする請求項１に記載のネット巻上式フェンス。
【請求項３】
前記枠体の下端に設けられるベース部には車輪が固定されることを特徴とする請求項１又は２に記載のネット巻上式フェンス。
【請求項４】
前記ベース部と前記地表面との間の空隙部には球の通過を防止するためのボール止め手段が設けられることを特徴とする請求項３に記載のネット巻上式フェンス。
【考案の詳細な説明】
【技術分野】
【０００１】
本考案は、バックネットや防球ネット等に使用されるネットフェンスに係り、特に風等の押圧力によって転倒することがない簡便構造のネット巻上式フェンスに関する。
【背景技術】
【０００２】
グランド等に配置されるネットフェンスとしては各種のものがあるが、例えば、図５に示すものが一般的に使用されている。即ち、ネットフェンス１００ａは、ベース部６ａとこの左右端から立設する柱７ａ，７ａと、この柱７ａ，７ａ間に架設される梁８ａ等とからなる枠体９ａと、この枠体の内部の空間に張架されるネット１ａ等とからなる。なお、図示のように枠体９ａを補強するために補強部材１３，１４が設けられている。
また、ネットフェンスに関する公知技術としては例えば「特許文献１」が挙げられる。
【特許文献１】特開２００５−１７９９８５号（図１）
【考案の開示】
【考案が解決しようとする課題】
【０００３】
図５に示したネットフェンス１００ａや「特許文献１」に示されるネットフェンスはそれ自体としては十分にフェンス機能を発揮するものであるが、例えば、強風が発生した場合、ネット１ａに空隙があっても枠体９ａに張架されているネット１ａはその全面積で風圧を受けるような風力が作用する。このため強風の程度によってはこの風力でネットフェンス１００ａの全体が転倒する不具合が生じる。これによりネットフェンス１００ａが破壊する問題点が生ずる。
【０００４】
本考案は、以上の問題点を解決するもので、比較的簡便な構造からなり、強風時においてもネットフェンス１００ａ全体の転倒がなく、ネットフェンス１００ａの転倒による損傷の生じないネット巻上式フェンスを提供することを目的とする。
【課題を解決するための手段】
【０００５】
本考案は以上の目的を達成するために、請求項１の考案は、左右の柱とこの頂部に架設される梁とからなる枠体内の空間にネットを張架してなるネットフェンスであって、該ネットフェンスは、前記柱の頂部に滑車を固定し、該滑車に巻回するロープの一端を前記ネットの左右端に連結すると共に前記ロープの他端を前記滑車から地表面側に向かって垂下すべく配設することを特徴とする。
【０００６】
また、請求項２の考案は、前記柱の前記ネット側には前記ネットの左右端をガイドする溝レールが設けられることを特徴とする。
【０００７】
また、請求項３の考案は、前記枠体の下端に設けられるベース部には車輪が固定されることを特徴とする。
【０００８】
また、請求項４の考案は、前記ベース部と前記地表面との間の空隙部には球の通過を防止するためのボール止め手段が設けられることを特徴とする。
【考案の効果】
【０００９】
本考案の請求項１のネット巻上式フェンスによれば、ネットがロープに連結し、ロープは滑車を介して地表面側に他端を垂下した状態で配置されるため、ロープを手等で上方に向かって送り出すことによって滑車を介してネット全体が下方に向かって畳みこまれる。即ち、枠体の空間にはネットが存在しない状態となる。そのため、強風があってもネットを介しての風力が枠体側に殆ど作用せず、その転倒が防止される。また、ネットの使用時にはロープの他端を手等で下方に引き下げることによりネットが持ち上げられ、枠体の空間にネットが張られる状態となり、通常のネットフェンスとしての機能を果すことができる。
【００１０】
また、本考案の請求項２のネット巻上式フェンスによれば、柱の内側にネットの左右端を案内するガイドがあるため、ネットの昇降が円滑に行われる。
【００１１】
また、本考案の請求項３のネット巻上式フェンスによれば、ベース部に車輪があるため、ネット巻上式フェンス全体を任意の場所に容易に移動することができる。
【００１２】
また、本考案の請求項４のネット巻上式フェンスによれば、車輪の存在によってベース部と地表面との間に生ずる空隙から球等の通過することが防止される。なお、このボール止め手段は車輪がない場合は不必要のものでもある。
【考案を実施するための最良の形態】
【００１３】
以下、本考案のネット巻上式フェンスの実施の形態を図面を参照して詳述する。
図１（ａ）は本考案のネット巻上式フェンス１００の全体構造を示す正面図であり、図１（ｂ）は図１（ａ）の側面図である。なお、本実施例は車輪５がある場合であるが、車輪５がない場合でも主要部は同一の構造からなる。
【００１４】
地表面４上には車輪５に支持されるベース部６が地表面４と平行に配置され、このベース部６の長さが張架されるネット１の巾寸法にほぼ等しいものからなる。ベース部６の左右端にはここから立設する柱７，７の下端が固定される。左右の柱７，７間の上部には梁８が架設される。枠体９はベース部６と左右の柱７，７と梁８により囲まれる枠状の構造体からなる。なお、本実施例ではベース部６と地表面４との間の空隙１０にボール止め手段１１である横棒体がベース部６の下端に固定して配置される。
【００１５】
図１及び図２に示すように、柱７の頂部には滑車２が固定され、この滑車にはロープ３が巻回される。このロープ３はその一端側をネット１の左右端に連結すると共に滑車２に巻回して地表面４側に他端側を垂下した状態で配置される。なお、ネット１そのものは通常に使用されている形状のものからなる。
【００１６】
一方、柱７のネット１側の内側にはネット１の左右端を案内するためのガイドとしての溝レール１２が固定される。ネット１の左右端はこの溝レール１２内に挿入され、ネット１の昇降時にはネット１はこの溝レール１２に案内される。
【００１７】
次に、本考案のネット巻上式フェンス１００の使用方法を図３及び図４により説明する。図３は強風等の発生している場合のネット巻上式フェンス１００の使用方法を示す。この場合にはロープ３の垂下している他端を把持し、ロープ３を滑車２側に向かって押し上げることによりネット１は下降し、最終時にベース部６の位置まで下り畳み込まれる。そのため、枠体９は柱７，７と梁８で囲まれた空間部となり、風はこの空間部を通り抜けるだけとなり、枠体９には無理な力が作用しない。
【００１８】
一方、強風もなく、かつネット１を張る必要がある場合には図４に示すように垂下しているロープ３の他端を把持してこれを下方に向かって押し下げることによりロープ３に連結しているネット１は次第に引き上げられる。この場合、ロープ３が滑車２に巻回しているためネット１の上昇は容易にできる。なお、図４はネット１の引き上げの途中段階を示すものであり、ネット１は梁８の位置まで引き上げられることになる。引き上げ完了時にはネット１が自然落下しないようにロープ３を柱７に固定することが必要となることは勿論である。
以上により、ネット１に風力等が作用してネット巻上式フェンス１００が転倒する事故を防ぐことができる。
【産業上の利用可能性】
【００１９】
本考案は、前記の構造のネットフェンスに適用した場合を説明したが、各種のネットフェンスに適用されるものであり、かつ屋外にて使用されるその他のネットや膜体等に対しても適用され、その利用範囲は広い。
【図面の簡単な説明】
【００２０】
【図１】本考案のネット巻上式フェンスの全体構造を示す正面図（ａ）及び図１（ａ）の側面図（ｂ）。
【図２】本考案の主要部を示す部分拡大正面図。
【図３】本考案の使用方法を説明するための模式的正面図。
【図４】本考案の使用方法を説明するための模式的正面図。
【図５】従来のネットフェンスを示す斜視図。
【符号の説明】
【００２１】
１      ネット
２      滑車
３      ロープ
４      地表面
５      車輪
６      ベース部
７      柱
８      梁
９      枠体
１０    空隙
１１    ボール止め手段
１２    溝レール
１００  ネット巻上式フェンス
【図１】
0003120984.tif 000003
【図２】
0003120984.tif 000004
【図３】
0003120984.tif 000005
【図４】
0003120984.tif 000006
【図５】
0003120984.tif 000007